(57)【要約】【課題】ホストコンピュータとの接続形態（ＵＳＢ，ＩＥＥＥ１３９４，ＩＥＥＥ１２８４）に応じて、印字装置の動作モードを変更する事により、最も効率の良い印字（速度）を実現する。【解決手段】接続形態識別手段、電力供給選択指定手段、動作モード指示手段を備える。例えば、ＡＣ電源が入力され、ＩＥＥＥ１３９４インタフェースによりホストと接続されている場合は、ＩＥＥＥ１３９４フンタフェースからも電力を受け、最高速印字を行う。ＡＣ電源入力が無く、ＵＳＢインタフェースによりホストと接続されている場合は、モータ速度を落とし、ヘッドの使用ノズル数も絞り、最低速で印字を行う。【選択図】        図１
2004188820.tif 000002
【特許請求の範囲】
【請求項１】
複数の接続形態を持ちうる印字装置において、
接続形態識別手段、
接続形態に応じた電力供給制御手段、
接続形態に応じた動作制御手段
を具備したことを特徴とする印字装置。
【請求項２】
動作制御手段は機構駆動制御であることを特徴とする請求項１に記載の印字装置。
【請求項３】
動作制御手段は印字駆動制御であることを特徴とする請求項１に記載の印字装置。
【請求項４】
動作制御手段はシステム制御であることを特徴とする請求項１に記載の印字装置。
【発明の詳細な説明】
【０００１】
【発明の属する技術分野】
本発明は、ホストコンピュータとの接続手段から電力供給を受け動作する周辺機器装置に関する。
【０００２】
【従来の技術】
近年の、インターネットの普及と共に、インクジェットプリンター、レーザービームプリンタ等により、印字を行う機会が増大している。
【０００３】
従来より、印字を行う為には、印字装置の電源ケーブルと接続すると共に、ホストコンピュータと印字装置をインタフェースケーブルにて接続する必要があり非常に煩雑であった。
【０００４】
この課題を解決する手段として、次のような構成を持った装置が提案されており、特開平１０−２７２８０８号公報等で開示された記録装置は、特に電源ケーブルを接続することなく、ＰＣＭＣＩＡインタフェースを介してホストコンピュータから電力の供給を受ける物である。
【０００５】
一方、近年のホストコンピュータに於いては、印字装置などの各種周辺機器との接続インタフェースとして、より高速、より簡易な接続性を訴求した新規インタフェース規格が提案され実装されている。
【０００６】
これに類するインタフェースとして、ＵＳＢ（ユニバーサルシリアルバス）、ＩＥＥＥ１３９４等が有り、これらインタフェースの規格によれば、データの授受を行うばかりではなく印字装置などの周辺機器に電力を供給する機能まで規定されている。
【０００７】
【発明が解決しようとする課題】
しかしながら、不特定のホストコンピュータと不特定の印字装置が互いに接続可能とする目的から、ホストコンピュータと印字装置の接続は定められた規格にしたがってなされるものであり、従来はパラレルインタフェース（別称ＩＥＥＥ１２８４）・シリアルインタフェースにより接続されるのもであった。
【０００８】
したがって、特開平１０−２７２８０８号公報に記されているように、ＰＣＭＣＩＡと言う特異な接続形態に限定される事は、接続可能なホストコンピュータが制限される事となり、汎用性に著しく欠ける。
【０００９】
更には、ＵＳＢ・ＩＥＥＥ１３９４等の新規インタフェースが普及しつつある今日に於いては、実用的で無いと言う問題がある。
【００１０】
一方では、各インタフェースの実装はホストコンピュータにより個々に異なり、旧型式のホストコンピュータに於いてはＵＳＢインタフェースの実装が無いもの、ＩＥＥＥ１３９４の実装が無いもの、逆に新型式のコンピュータに於いては、パラレルインタフェースの無いもの、シリアルインタフェースの無いものが存在すると言う課題が有る。
【００１１】
これに対し、近年の周辺機器、例えば印字装置に於いては、複数のホストインタフェースを備えるものが多数開発されている。
【００１２】
その形態としては、ＩＥＥＥ１２８４とＵＳＢ、ＩＥＥＥ１３９４とＵＳＢ、ＩＥＥＥ１２８４とＩＥＥＥ１３９４とＵＳＢ、更には、これに加えて、赤外線又は電波を利用した無線インタフェースの組み合わせが有り、各種インタフェースから如何にして電力の供給を受けるかが課題となる。
【００１３】
更には、新規インタフェース規格に於ける電力供給能力の規定は統一されていないと言う課題が有る。
【００１４】
【課題を解決するための手段】
本発明は、複数のホスト接続形態を備えた周辺機器装置に於いて、ホストコンピュータと接続されているインタフェース種類を識別する接続形態識別手段、接続されているインタフェースの形態に従って、周辺機器装置の動作状態決定・制御する動作制御手段、及び、接続されているインタフェースの形態に従って電力供給元を選択制御する電力供給制御手段を備える。
【００１５】
【発明の実施の形態】
以下図面を参照して、本発明の実施形態の説明を行う。
【００１６】
本実施形態における印字装置はインクジェットプリンターを例に説明する。
【００１７】
（第１の実施形態）
図１は本システムの全体構成を示す図面であり、１０１は印字装置全体、１０２は予め準備された制御プログラムに従って印字装置１０１の動作を制御するＣＰＵ（セントラル・プロセッシング・ユニット）、１０３は印字装置１０１を制御するハードウエアロジックを集積したゲートアレー、１０４はＣＰＵ１０２用制御プログラムを格納しているＲＯＭ（リード・オンリー・メモリ）、１０５はシステムバスであり印字装置１０１を制御する電気部品を機能的に結合しているものである。
【００１８】
１０６はＤＲＡＭ（ダイナミック・ランダム・アクセス・メモリ）であり、ＣＰＵの作業用メモリ領域、ホストコンピュータからの受信データの蓄積、ヘッドへ転送するデータの蓄積等に使用される。
【００１９】
１０７はＤＲＡＭ１０６の制御信号バス、１０８はゲートアレー１０３の制御信号バス、１０９はＲＯＭ１０４の制御信号バスである。
【００２０】
また、１１０はホストコンピュータからデータを受信するインタフェースであるＩＥＥＥ１２８４信号群、１１１は同じくＵＳＢ信号群、１１２はＵＳＢからの電力供給線、１１３は同じくＩＥＥＥ１３９４信号線郡、１１４はＩＥＥＥ１３９４からの電力供給線、１１５は無線によるＢｌｕｅＴｏｏｔｈ信号線郡である。
【００２１】
１１６は商用電源から印字装置１０１の動作電力を得るＡＣ／ＤＣ電源ユニット、１１７はＡＣ電源コードである。
【００２２】
１１８は電源ユニット１１６から出力される出力線、１１９はＡＣ／ＤＣ電源ユニットが電力を供給できる状態にあるか否かを信号線、１２０は入力される各種の電力供給源から印字装置１０１に必要な所望の電力を得るＤＣ／ＤＣ電源ユニットである。
【００２３】
１２１はＤＣ／ＤＣ電源ユニットの動作モードを設定する信号線である。
【００２４】
１２２は印字ヘッド、１２３はゲートアレー１０３から印字ヘッドへの制御信号群であり、１２４は印字ヘッド１２２を往復スキャンさせるキャリッジモータ、１２５は印字用紙を搬送するラインフィードモータ、１２６は操作部である。
【００２５】
図２はゲートアレー１０３の詳細を説明する図面であり、２０１はＩＥＥＥ１２８４インタフェースの動作制御部、２０２はＵＳＢインタフェースの動作制御部、２０３はＩＥＥＥ１３９４インタフェースの動作制御部、２０４はＢｌｕｅＴｏｏｔｈインタフェースの動作制御部である。
【００２６】
２０５は接続形態識別部であり、印字装置の動作状態でホストコンピュータに対しどの種のインタフェースにより接続状態にあるかを識別するものである。
【００２７】
２０６はゲートアレー１０３の内部バス、２０７はＤＲＡＭ１０６を動作ならしめるＤＲＡＭ制御部、２０８は印字すべきデータを生成する印字データ処理部、２０９は印字ヘッド１２２に印字データを転送したり、印字の為の制御信号を送出するものである。
【００２８】
図３はＡＣ／ＤＣ電源ユニットの詳細を説明する図面であり、図中３０１は１次側整流用ダイオードブリッジ、３０２は１次側平滑コンデンサ、３０３はスイッチングトランジスタ、３０４は電源制御ＩＣ、３０５は電圧変換トランス、３０６は２次側整流ダイオード、３０７は２次側平滑コンデンサ、３０８・３０９は制御用抵抗器、３１０は先に説明した信号線１１９を出力制御するトランジスタである。
【００２９】
その他、図１・図２にて説明した部位には同一の番号を付している。
【００３０】
図４はＤＣ／ＤＣ電源ユニット１２０の詳細を説明する図面であり、４０１は各種電力供給元（ＵＳＢ、または、ＩＥＥＥ１３９４、またはＡＣ／ＤＣ電源ユニット）を選択する入力選択部であり、ゲートアレー１０３を介して出力される選択信号１２１に従っていずれかの入力を選択するものである。
【００３１】
４０２は選択された電力供給を元にロジック回路に供給する電力を生成する降圧型レギュレータ部、４０３は同様に各モータ（ＣＲモータ１２４、ＬＦモータ１２５）及び、印字ヘッド１２３駆動用の電力を生成する昇圧型レギュレータぶである。
【００３２】
図５は降圧型レギュレータ４０２の詳細を説明する図面であり、制御ＩＣにＴＬ４９７Ｃを用いた場合を例に示している。
【００３３】
図中、５０１は制御ＩＣ：ＴＬ４９７Ｃ、５０２は入力選択部４０１からの入力線、５０３は発信器、５０４はスイッチングトランジスタ、５０５はキャッチダイオード、５０６はチョークコイル、５０７は差動アンプ、５０８・５０９は制御用抵抗器、５１０は電圧変換された電圧出力である。
【００３４】
図６は昇圧型レギュレータ４０３の詳細を説明する図面であり、図５にて説明した降圧型レギュレータの構成とはスイッチングトランジスタの位置が異なることが特徴的である。
【００３５】
図中、６０１は入力選択部４０１からの入力線、６０２は電圧変換された電圧出力。
【００３６】
６０３はチョークコイル、６０４・６０５は制御用抵抗器である。
【００３７】
図７は全体の動きの説明を行うフローチャート図である。
【００３８】
以下、図に従って説明を行う。
【００３９】
［ステップ７０１］使用者が操作部１２６から電源を投入すると、
［ステップ７０２］ＣＰＵ１０２はＲＯＭ１０４に格納された制御プログラムに従って、印字装置１０１の初期化動作を行う。
【００４０】
［ステップ７０３］ＣＰＵ１０２はゲートアレー１０３に組み込まれた接続形態識別部２０５を介して、ホストコンピュータと接続されたインタフェースを判断する。
【００４１】
［ステップ７０４］同時に電力供給可能形態を判定し、
［ステップ７０５］信号線１２１を介して入力選択部４０１により電力供給元を選択指定する。
【００４２】
［ステップ７０６］ステップ７０５の選択に従い予め定められた動作モードを決定する（詳細は図８にて後述）。
【００４３】
［ステップ７０７］図示しないホストコンピュータからの印字データ受信を監視し
［ステップ７０８］印字データを受信した場合、ステップ７０６にて定めた動作モードに従って印字動作を実行する。
【００４４】
［ステップ７０９］操作部１２６から電源ＯＦＦの指示がなされるか否かの監視を行い、電源ＯＦＦ指示がなされた場合
［ステップ７０９］印字装置１０１の動作終了処理を行い電源ＯＦＦモードへ移行する。
【００４５】
図８はステップ７０６にて説明した、具体的な動作モード指定の例を説明する図面であり、ＡＣ／ＤＣ電源ユニットが使用可能であれば、通常の動作モードを選択し、接続されたインタフェースが、ＩＥＥＥ１３９４の場合は省電力１の動作モードを選択、ＵＳＢの場合は省電力２の動作モードを選択する。
【００４６】
ここでは、省電力１の動作モードとして印字ヘッド１２２の使用ノズル数を限定し、印字装置１０１全体の消費電力を抑えるものであり、省電力２の動作モードとして印字ヘッド１２２の使用ノズル数制限に加え、さらにＣＲモータ１２４及びＬＦモータ１２５を低速駆動し印字装置１０１の消費電力を抑えるものとする。
【００４７】
（第２の実施形態）
図９は、第２の実施形態を説明する図面であり、ロジック用の電源供給元と、モータ・ヘッド用電源供給元をここに選択可能としたものである。
【００４８】
図１０は図９に示した第２の実施形態に於けるステップ７０６のモード指定の様子を説明する図面である。
【００４９】
図８と同様に、接続されたインタフェース、又はＡＣ／ＤＣ電源の使用可能状況に応じて、それぞれ高速Ａの動作モード、高速Ｂの動作モード、通常の動作モード、省電力Ａの動作モード、省電力Ｂの動作モード、省電力Ｃの動作モードを選択指定するものである。
【００５０】
高速Ａの動作モード指定時は、入力選択部９０１においてロジック用の電力供給元はＩＥＥＥ１３９４が、モータ・ヘッド用の電力供給元にはＡＣ／ＤＣ電源が選択されている。
【００５１】
この状態では、ロジック用電源及びモータ・ヘッド用電源ともに最大の電力が使用可能であり、ＣＰＵは高速なクロックにより動作し、モータもより高速な動作が出来るものである。
【００５２】
高速Ｂの動作モード指定時は、ロジック用の電力供給元にＵＳＢが選択されており、ＩＥＥＥ１３９４ほどの電力供給が出来ない為、ＣＰＵは通常の動作クロックにて動作しているが、モータ・ヘッド用電源はＡＣ／ＤＣ電源の電力を占有できる為、モータは高速動作を行うものである。
【００５３】
通常の動作モード指定時は、ＡＣ／ＤＣ電源からの電力をロジック用、モータ・ヘッド用に分け合う為、通常の動作となる。
【００５４】
省電力Ａの動作モード指定時は、ロジック用はＵＳＢから、モータ・ヘッド用にはＩＥＥＥ１３９４から電力を供給するものであり、ＣＰＵは通常の動作クロック、モータも通常の動作速度、ヘッドは使用ノズル数を制限し、消費電力を抑えるものである。
【００５５】
省電力Ｂの動作モード指定時は、ロジック用、モータ・ヘッド用ともにＩＥＥＥ１３９４から電力を供給するものであり、ＣＰＵは通常のより低速な動作クロック、モータは通常の動作速度、ヘッドは使用ノズル数を制限し、消費電力を抑えるものである。
【００５６】
省電力Ｃの動作モード指定時は、ロジック用、モータ・ヘッド用ともにＵＳＢから電力を供給するものであり、ＣＰＵは低速の動作クロック、モータも低速の動作速度、ヘッドも使用ノズル数を制限し、消費電力を抑えるものである。
【００５７】
（その他の実施形態）
以上、各実施形態においては、インクジェットプリンターを例に説明を行ったが、トナーカートリッジにより消耗品を提供する電子写真方式プリンター、インクリボンテープにより消耗品を提供する熱転写方式プリンター等においても実施可能であることは自明である。
【００５８】
又、各動作モードに於いては、ＣＰＵの動作クロック、モータの駆動速度、印字ヘッドの使用ノズル数を変数として説明したが、これに限定することなく、印字装置中の電力を消費する部分であれば何を変数としてもかまわない。
【００５９】
例えば、ＬＢＰであれば、定着器、等々。
【００６０】
【発明の効果】
以上述べたように、複数の接続形態を持ちうる印字装置において、接続形態に応じて、印字装置に供給な電力を判断・選択し、接続形態に応じた動作制御を行う。
【００６１】
即ち、得られる電力に応じて印字速度を制御することにより、最も効率の良い印字装置動作環境を実現することが可能になった。
【００６２】
更に、インタフェースの種類によらず、インタフェースから供給される電力に応じた印字動作を行うことが可能になった。
【図面の簡単な説明】
【図１】第１の実施形態を説明する図面であり、印字装置の全体システム図。
【図２】印字装置におけるゲートアレーの詳細説明図。
【図３】電源ユニットの構成図。
【図４】電力入力選択部の細説明図。
【図５】降圧型レギュレータの説明図。
【図６】昇圧型レギュレータの説明図。
【図７】第１の実施形態動作フローチャート
【図８】第１の実施形態動作フローチャート。
【図９】第２の実施形態。
【図１０】第２の実施形態動作フローチャート。
【符号の説明】
１０１  印字装置
１０２  ＣＰＵ
１０３  ゲートアレー
１１６  ＡＣ／ＤＣ電源ユニット
１２０  ＤＣ／ＤＣ電源ユニット
１２２  印字ヘッド
２０５  接続形態識別部
４０１・９０１  入力選択部
４０２  降圧型レギュレータ
４０３  昇圧型レギュレータ
【図１】
2004188820.tif 000003
【図２】
2004188820.tif 000004
【図３】
2004188820.tif 000005
【図４】
2004188820.tif 000006
【図５】
2004188820.tif 000007
【図６】
2004188820.tif 000008
【図７】
2004188820.tif 000009
【図８】
2004188820.tif 000010
【図９】
2004188820.tif 000011
【図１０】
2004188820.tif 000012